(57)【要約】      （修正有）【課題】ビークルのドアのためのセルフセンタリングハンドルアセンブリを提供する。【解決手段】ハンドルアセンブリ３８は、枢動ハンドル基部４４、第１の端部４６及び第２の対向端部４８を有する。第１及び第２の駆動アーム８４，８６が設けられ、ハンドル基部４４の後部から所定距離だけ延在し、ハンドル基部４４の対応する第１及び第２の端部４６，４８との調整された運動のために構成されている。ベルクランク８８が設けられ、ベルクランク８８は、ハンドルアセンブリ３８に結合され、第２の枢動軸心回りに回動するように構成されている。ベルクランク８８の回動は第１及び第２の駆動アーム８４，８６の運動により駆動される。付勢部材１０８は、ベルクランク８８と接触し、ベルクランク８８をセルフセンタリング休止位置に付勢する。【選択図】図３
2018112050.tif 000002
【特許請求の範囲】
【請求項１】
ビークルのドアのためのハンドルアセンブリであって、
第１の枢動軸心において前記ビークルのドアに結合された枢動ハンドル基部であって、前記第１の枢動軸心は前記ハンドル基部の長さ寸法に関して中央にあり、前記枢動ハンドル基部は、
第１の端部及び第２の対向端部を有する前面であって、前記第１及び第２の端部は、前記第１の枢動軸心回りの互いに逆向きの方向における選択的枢動運動のために構成されている前面と、
第１及び第２の駆動アームであって、各駆動アームが、前記ハンドル基部の後部から所定距離だけ延在するとともに、前記前面の対応する前記第１及び第２の端部との調整された運動のために構成されている第１及び第２の駆動アームと、
を備える、枢動ハンドル基部と、
前記ハンドルアセンブリに結合されるとともに第２の枢動軸心回りに回動するように構成されているベルクランクであって、前記ベルクランクの回動は前記第１及び第２の駆動アームの運動により駆動される、ベルクランクと、
前記ベルクランクと接触する付勢部材であって、前記ベルクランクをセルフセンタリング休止位置に付勢する、付勢部材と、
を備える、ハンドルアセンブリ。
【請求項２】
前記ハンドル基部の前記第１及び第２の駆動アームは、前記ベルクランクの対応する第１及び第２のレバーアームに独立的に係合して前記ベルクランクの回動を駆動するように構成されている、請求項１記載のハンドルアセンブリ。
【請求項３】
前記ハンドル基部の選択的枢動運動は、互いに逆向きの方向のいずれにおいても、前記ベルクランクの回動を同一の回動方向に駆動する、請求項２記載のハンドルアセンブリ。
【請求項４】
前記付勢部材は、前記ベルクランクの回動を平衡中心点に付勢するように構成されており、前記平衡中心点では、前記ベルクランクの前記第１及び第２のレバーアームが前記ハンドル基部の対応する第１及び第２の駆動アームに接触する、請求項２記載のハンドルアセンブリ。
【請求項５】
前記ハンドル基部の前記前面は前方平面を画成し、前記ハンドル基部の前記第１及び第２の駆動アームの各々は、前記前方平面に直交して所定距離だけ延在する弧形状を画成する、請求項２記載のハンドルアセンブリ。
【請求項６】
前記第２の枢動軸心は前記第１の枢動軸心に直交する、請求項１記載のハンドルアセンブリ。
【請求項７】
前記ベルクランクは、パワーモード実行位置と手動モード実行位置との間で回動するように、かつ、前記セルフセンタリング休止位置に戻すように、構成されている、請求項１記載のハンドルアセンブリ。
【請求項８】
前記ハンドル基部の前記第１及び第２の端部は、
前記ハンドル基部の外側表面が前記ビークルのドアの外側表面と実質的に面一であり、かつ、前記ベルクランクの前記第１及び第２のレバーアームの両方が前記ハンドル基部の対応する第１及び第２の駆動アームに接触する休止位置と、
前記ビークルのドアの自動移動を起動する第１のレベルの押し込みによる第１の押し込み位置であって、前記ハンドル基部の前記第１及び第２の駆動アームのうちの一方が前記ベルクランクの対応する第１及び第２のレバーアームのうちの一方に接触する第１の押し込み位置と、
ロック機構を解除しかつ前記ビークルのドアの手動移動を許容する第２のレベルの押し込みによる第２の押し込み位置と、
の間における枢動運動のために構成されている、請求項１記載のハンドルアセンブリ。
【請求項９】
前記ハンドル基部の前面に結合されたカバー部材を更に備え、前記カバー部材は、前記ビークルのドアの外側表面と実質的に面一である外側表面を画成する、請求項１記載のハンドルアセンブリ。
【請求項１０】
前記ビークルのドアの凹所内に固定されるように構成されているケースを更に備え、前記ケースは前記第１の枢動軸心を画成し、前記ベルクランクは前記ケースに結合される、請求項１記載のハンドルアセンブリ。
【請求項１１】
ビークルのパワースライドドアのためのセルフセンタリングフラッシュマウントハンドルアセンブリであって、
前記ビークルのパワースライドドアの凹所内に固定されるように構成されているケースと、
前記ケースの後部に結合されるとともに第１及び第２のレバーアームを含むベルクランクであって、前記ベルクランクは、付勢された配置構成であるとともに、前記パワースライドドアのパワーモード及び手動モードの動作を選択的に行うために第１の方向に回動するように、かつ、第２の逆方向にセルフセンタリング休止位置まで戻り回動するように、構成されているベルクランクと、
前記ケースの中央部分に延在する第１の枢動軸心に結合された枢動ハンドル基部であって、前記ハンドル基部は、第１及び第２の駆動アームを画成し、前記第１及び第２の駆動アームは、前記ハンドル基部の後部から所定距離だけ延在し、前記第１の枢動軸心回りに運動可能であり、前記ハンドル基部の対応する第１及び第２の対向端部が内向きに押し込まれたときに前記ベルクランクに回動可能に係合するように構成されている、枢動ハンドル基部と、
を備える、フラッシュマウントハンドルアセンブリ。
【請求項１２】
前記ベルクランクの前記第１及び第２のアームの両方が前記ハンドル基部の対応する第１及び第２の駆動アームに接触する平衡点に前記ベルクランクを回動可能に付勢するように構成されている付勢部材を更に備える、請求項１１記載のフラッシュマウントハンドルアセンブリ。
【請求項１３】
前記ベルクランクは、前記第１の枢動軸心に直交する第２の枢動軸心に結合される、請求項１１記載のフラッシュマウントハンドルアセンブリ。
【請求項１４】
前記ハンドル基部の前面は前方平面を画成し、前記ハンドル基部の前記第１及び第２の駆動アームの各々は、前記前方平面に直交して所定距離だけ延在する弧形状を画成する、請求項１１記載のフラッシュマウントハンドルアセンブリ。
【請求項１５】
前記ハンドル基部の前記第１及び第２の対向端部は、
前記ハンドル基部の外側表面が前記パワースライドドアの外側表面と実質的に面一であり、かつ、前記ベルクランクの前記第１及び第２のレバーアームの両方が前記ハンドル基部の対応する第１及び第２の駆動アームに接触する休止位置と、
前記パワースライドドアの自動移動を起動する第１のレベルの押し込みによる第１の押し込み位置であって、前記ハンドル基部の前記第１及び第２の駆動アームのうちの一方が前記ベルクランクの対応する第１及び第２のレバーアームのうちの一方に接触する第１の押し込み位置と、
ロック機構を解除しかつ前記パワースライドドアの手動移動を許容する第２のレベルの押し込みによる第２の押し込み位置と、
の間における枢動運動のために構成されている、請求項１１記載のフラッシュマウントハンドルアセンブリ。
【請求項１６】
機械的アクチュエータを含むスイッチサブアセンブリと、
内部レバーと、
を更に備え、
前記ハンドル基部の枢動により、前記ベルクランクの回動が調整されて、前記内部レバーのストロークが開始され前記機械的アクチュエータがトリガされるとともに、前記パワースライドドアのパワーモード動作のための信号が送信され、後続の前記ハンドル基部の解放により、前記付勢部材が前記ベルクランクの回動を平衡中心点へ付勢するのを許容する、請求項１１記載のフラッシュマウントハンドルアセンブリ。
【請求項１７】
ビークルのドアのハンドルアセンブリを作動させるとともに前記ハンドルアセンブリをセルフセンタリング休止位置へ戻す方法であって、
枢動ハンドル基部の第１の端部を前記ハンドルアセンブリ内へ内向きに第１の距離だけ押し込み、それにより、前記ハンドル基部の後部から所定距離だけ延在する２本の駆動アームのうちの一方がベルクランクを第１の回動方向に回動させることと、
前記ベルクランクが回動すると、前記ビークルのドアの開又は閉動作のいずれかを行うように構成されているスイッチサブアセンブリを起動することと、
前記ハンドル基部の前記第１の端部を解放し、付勢部材が前記ベルクランクの回動を第２の逆方向に付勢するのを許容し、前記ハンドル基部をセルフセンタリング休止位置へ戻すことと、
を含む方法。
【請求項１８】
前記ハンドル基部を中央の休止位置へ戻す段階は、前記付勢部材が前記ベルクランクを、前記ベルクランクの第１及び第２のアームが前記ハンドル基部の対応する第１及び第２の駆動アームに接触する平衡点に付勢することを含む、請求項１７記載の方法。
【請求項１９】
前記ハンドル基部の前記第１及び第２の駆動アームは、前記ベルクランクの対応する第１及び第２のアームに独立的に係合して前記ベルクランクの回動を駆動するように構成されており、
前記ハンドル基部の選択的枢動運動は、互いに逆向きの方向のいずれにおいても、前記ベルクランクの回動を同一の回動方向に駆動する、請求項１８記載の方法。
【請求項２０】
前記ハンドル基部を前記セルフセンタリング休止位置へ戻すことが、前記ハンドルの外側表面を前記ビークルのドアの外側表面に対して実質的に面一に位置決めすることを含むように、前記ハンドルアセンブリが前記ビークルのドアに対して面一に搭載される、請求項１７記載の方法。
【発明の詳細な説明】
【技術分野】
【０００１】
関連出願に関する相互参照
本出願は、２０１６年１２月９日に出願された米国仮出願第６２／４３１，９９６号の利益を主張するものであり、この仮出願はその全体が参照により援用される。
【０００２】
技術分野
本開示は概略的に、ドア又は他の閉鎖体のための枢動ハンドルに関し、更に詳細には、パワーモード及び手動モードの両方においてビークル（車両、乗り物、輸送体）のスライディングドアを開け、作動停止されると中央又は休止位置に戻るように構成されている中央枢動ハンドルに関する。
【背景技術】
【０００３】
背景
本開示において提供される背景の説明は、本開示の状況を概略的に呈示するためのものである。この背景技術の欄に記述されうる限りでの本願発明者らの研究は、出願時点における先行技術として見なされてはならない本記載の諸態様とともに、明示的にも黙示的にも、本技術に対する先行技術であると承認されたものではない。
【０００４】
ミニバン型のビークルは一般的に、一対のフロント乗員用枢動ドア、及び、少なくとも１つのリア乗員用スライディングドアを有している。種々の場合において、ユーザは、例えば食料雑貨を抱えることで、又は、幼い子供を抱えることで、自身の両手が塞がれながら、ビークルに接近することがある。ほとんどのビークルで一般的に使用される手動式の「グリップ」型のハンドルは、比較的強く把持して引かなければ、必ずしも作動可能でなく、比較的強く把持して引くということは、ユーザの両手が自由でなければ困難なことがある。したがって、１本又は２本の指の穏やかな押圧又は押し込みにより作動が容易なドアハンドルを提供することは好適であろう。
【０００５】
ビークルの内部に配設されたリモコン又は押ボタンを介して動作する従前のパワード（動力付き）スライドドアは、電源に接続されているときにのみ作動可能である。したがって、魅力的なデザインを提供しながらも、緊急的な状況において、又は、使用のために電源が直ちに利用できないという他の場合において、機能的であるように改良されたハンドルアセンブリに対するニーズがある。更に、ハンドルが、作動された後に、しかしながら最小限の構成要素でもって、休止位置に戻るのが望ましい。
【発明の概要】
【０００６】
概要
この欄は、本開示の概略的な概要を提供するものであり、その完全な範囲又はその特徴の全ての総括的な開示ではない。
【０００７】
種々の態様において、本開示は、ビークルのドアのためのハンドルアセンブリを提供する。ハンドルアセンブリは、第１の枢動軸心においてビークルのドアに結合された枢動ハンドル基部を含んでもよい。第１の枢動軸心はハンドル基部の長さ寸法に関して中央にあってもよい。枢動ハンドル基部は、第１の端部及び第２の対向端部を有する前面を含んでもよい。第１及び第２の端部は、第１の枢動軸心回りの互いに逆向きの方向における選択的枢動運動のために構成されてもよい。ハンドル基部は、第１及び第２の駆動アームを含んでもよい。各駆動アームは、ハンドル基部の後部から所定距離だけ延在してもよく、ハンドル基部の前面の対応する第１及び第２の端部との調整された運動のために構成されてもよい。ハンドルアセンブリに結合されるとともに第２の枢動軸心回りに回動するように構成されているベルクランクが設けられてもよい。ベルクランクの回動は第１及び第２の駆動アームの運動により駆動されてもよい。ベルクランクと接触する付勢部材が設けられてもよく、付勢部材はベルクランクをセルフセンタリング休止位置に付勢する。種々の態様において、付勢部材は、ベルクランクの回動を平衡中心点に付勢するように構成されており、平衡中心点では、ベルクランクの第１及び第２のレバーアームがハンドル基部の対応する第１及び第２の駆動アームに接触する。
【０００８】
他の態様において、本開示は、ビークルのパワースライドドアのためのセルフセンタリングフラッシュマウントハンドルアセンブリを提供する。フラッシュマウントハンドルアセンブリは、ビークルのパワースライドドアの凹所内に固定されるように構成されているケースを含んでもよい。ケースの後部に機械的に結合されるとともに第１及び第２のレバーアームを含むベルクランクが設けられてもよい。ベルクランクは、付勢された配置構成であってもよく、パワースライドドアのパワーモード及び手動モードの動作を選択的に行うために第１の方向に回動するように、かつ、第２の逆方向にセルフセンタリング休止位置まで戻り回動するように、構成されてもよい。フラッシュマウントハンドルアセンブリは、ケースの中央部分に延在する第１の枢動軸心に結合された枢動ハンドル基部を含んでもよく、ハンドル基部は、第１及び第２の駆動アームを画成し、第１及び第２の駆動アームは、ハンドル基部の後部から所定距離だけ延在し、第１の枢動軸心回りに運動可能であり、ハンドル基部の対応する第１及び第２の対向端部が内向きに押し込まれたときにベルクランクに回動可能に係合するように構成されている。
【０００９】
更なる他の態様において、本開示は、ビークルのドアのハンドルアセンブリを作動させる方法であって、セルフセンタリング休止位置へ戻す方法を提供する。本方法は、枢動ハンドル基部の第１の端部をハンドルアセンブリ内へ内向きに第１の距離だけ押し込み、それにより、ハンドル基部の後部から所定距離だけ延在する２本の駆動アームのうちの一方がベルクランクを第１の回動方向に回動させることを含んでもよい。ベルクランクが回動すると、ベルクランクは、ビークルのドアの開又は閉動作のいずれかを行うように構成されているスイッチサブアセンブリを起動する。本方法は、ハンドル基部の第１の端部を解放し、付勢部材がベルクランクの回動を第２の逆方向に付勢するのを許容し、ハンドル基部を中央の休止位置へ戻すことを含む。
【００１０】
適用可能性の更なる分野、及び、上記の技術を増進する様々な手法は、本開示に提供される説明から明らかとなろう。この概要における説明及び特定例は、例示目的のみを意図するものであり、本開示の範囲を制限することを意図するものではない。
【００１１】
本教示は、以下の説明及び添付図面から更に十分に理解されよう。
【図面の簡単な説明】
【００１２】
【図１】フロント枢動ドア及びリアスライドドアの両方のための先行技術のグリップ型ドアハンドルを有する、ミニバン型ビークルの側方平面図である。
【００１３】
【図２】本教示に係る、リアスライドドアを作動させるためのフラッシュマウント型ドアハンドルを有する、ミニバン型ビークルの側方平面図である。
【００１４】
【図３】本開示に係る、フラッシュマウントハンドルシステムの種々の詳細を示す分解斜視図である。
【００１５】
【図４Ａ】枢動式グラブバーハンドルを備えた第１の態様に係る、フラッシュマウントドアハンドルの動作を示す第１の概略図である。
【００１６】
【図４Ｂ】枢動式グラブバーハンドルを備えた第１の態様に係る、フラッシュマウントドアハンドルの動作を示す第２の概略図である。
【００１７】
【図５Ａ】枢動プレートハンドルを備えた第２の態様に係る、フラッシュマウントドアハンドルの動作を示す第１の概略図である。
【００１８】
【図５Ｂ】枢動プレートハンドルを備えた第２の態様に係る、フラッシュマウントドアハンドルの動作を示す第２の概略図である。
【００１９】
【図６】図３に示されるような組み立て済みフラッシュマウントハンドルを示す前方平面図である。
【００２０】
【図７】図３に示されるような組み立て済みフラッシュマウントハンドルを示す底部平面図である。
【００２１】
【図８】図３に示されるような組み立て済みフラッシュマウントハンドルを示す側方平面図である。
【００２２】
【図９】種々のアクセス及びドレインホールと、停止手段のような他の特徴とを画成する代表的なケースの前方平面図である。
【００２３】
【図１０】図３に示されるような組み立て済みフラッシュマウントハンドルの後方斜視図である。
【００２４】
【図１１】第１の位置（実線）と第２の位置（破線）との間におけるベルクランク及びスイッチアセンブリの動きを示す、組み立て済みフラッシュマウントハンドルの後方平面図である。
【００２５】
【図１２】中央に位置された休止又は中立の状態にある代表的なハンドル基部及びベルクランクを示す頂部平面図である。
【００２６】
【図１３】図１２に示されるように中央に位置された休止又は中立の状態にある代表的なハンドル基部及びベルクランクを示す後方平面図である。
【００２７】
【図１４】第１の完全押し込み起動状態にある代表的なハンドル基部及びベルクランクを示す頂部平面図である。
【００２８】
【図１５】図１４に示されるように第１の完全押し込み起動状態にある代表的なハンドル基部及びベルクランクを示す後方平面図である。
【００２９】
【図１６】第２の完全押し込み起動状態にある代表的なハンドル基部及びベルクランクを示す頂部平面図である。
【００３０】
【図１７】図１６に示されるように第２の完全押し込み起動状態にある代表的なハンドル基部及びベルクランクを示す後方平面図である。
【００３１】
【図１８】パワースライドドアの或る作動に関する代表的な論理制御の概略図である。
【発明を実施するための形態】
【００３２】
本開示で示される図は、或る態様を説明するために、本技術に含まれる装置及び方法の概略的な特性を例証することを意図したものである、ことに言及されるべきである。これらの図は、任意の所与の態様の特性を正確に反映していないこともあり、必ずしも、本技術の範囲内の特定実施形態を定義又は制限することを意図したものではない。更に、或る態様が、図の組み合わせから特徴を組み入れることもある。
【００３３】
本技術は概略的に、ミニバンのスライドドアハンドルアセンブリ及び外観に関する。特に、ハンドルアセンブリは、パワースライドドアの外側パネル又は外側表面と実質的に面一である外側表面を備えている。ハンドルアセンブリは、好適にはパワードモードで作動され、しかしながら必要時にスライドドアの手動の開／閉動作を維持する。例えば、スライドドアは、主としてパワードモードで作動され、枢動ハンドルの２つの対向端部のうちの一方をわずかに押し込むことにより起動されて内部スイッチを起動し、パワード開／閉機能を提供する、ことが意図されている。しかし、緊急の場合、又は、ビークルのパワーもしくは動力の喪失の場合、このハンドルアセンブリのデザインないし構成は付加的に、手動作動モードを維持する。手動モードを作動させるために、ユーザは、２つの対向端部のうちの上記一方を付加的な距離だけ更に押し込み、この付加的な距離は、ロック機構を解除し、枢動ハンドルの２つの端部のうちの他方を露出させてグリップを提供し、このグリップを用いてスライドドアを開閉するために手動作動モードを可能にする。回動するベルクランクに接触して付勢部材が配備されてもよく、付勢部材は、枢動ハンドルの押し込みの後、ベルクランクをセルフセンタリング休止位置に付勢する。種々の態様において、唯一の付勢部材が必要とされるとともに、唯一の付勢部材は、ベルクランク及び枢動ハンドルの回動を、例えばハンドルの外側部がドアの外側表面と面一になっている平衡中心点に付勢するように構成されている。
【００３４】
図１は、枢動式フロントドア２２及び摺動式リアドア２４を備え、各ドアが先行技術のグリップ型ドアハンドル２６、２８を備えるミニバン型ビークル２０の側方平面図である。図２は、同様のグリップ型ドアハンドル３４を有する枢動式フロントドア３２と、本教示に係るフラッシュマウント型ドアハンドル３８を有する摺動式リアドア３６とを備えるミニバン型ビークル３０の側方平面図である。本デザインは、魅力的な美観を提供するとともに、手動式の「グリップ」型ハンドルであって、このハンドルの不使用時に典型的な摺動式ビークルドアから延在するハンドルを除去する。特に、ドアハンドルアセンブリは、パワースライドドア（「ＰＳＤ」）のボディ内に取り付けられて一体化されたケース又はハウジングの内部に搭載される。
【００３５】
図３は、本開示に係るフラッシュマウントハンドルアセンブリ３８の種々の詳細を示す分解斜視図である。種々の態様において、パワースライドドア２４に取り付けられ又はこれに固定されるように構成されている、例えばスライドドア３６の外側パネル３７の凹所内に配設された、ケース４０が設けられる。ケース４０は、ハンドルアセンブリ３８の種々の構成要素を収容するように構成されたサイズ及び形状を有する内部キャビティ４２を画成してもよい。ハンドル基部４４は、第１及び第２の対向端部４６、４８を備える。ハンドル基部４４は、固定枢動軸心５０ａにおける、ハンドル基部４４のケース４０に対する枢動的な又はシーソー的な動きのために、ケース４０に枢動的に結合されてもよい。
【００３６】
ハンドル基部４４は、中空であってよく、また、前面（すなわち、外向き側）５４を画成するカバープレート５２又はその類似物を含んでもよく、前面は実質的に平坦であってよく、図８に示されるような前方平面５８内又は休止平面と称されるもの内に配置されてもよい。カバープレート５２は、楕円形周縁部６０を画成してもよい。図示されるように、カバープレート５２は、ハンドル基部４４の前面５４に結合され且つ外側表面５６を画成すように構成された別個の構成要素として配備されてもよい。他の態様において、カバーは、ハンドル基部４４と一体的に形成されてもよい。カバー５２は、起動のためにハンドルが押圧されるべき箇所を示す１又は複数の表面特徴部５７ａ、５７ｂを含んでもよい。表面特徴部５７ａ、５７ｂは、延在部又は凹所であってもよく、また、操作の機能性を表すために、互いに他に対して独特であり又は異なっていてもよい。ハンドル基部４４の後面（すなわち、内向き側）５９は、成形又は輪郭形成されてもよい。例えば、第１及び第２の対向端部４６、４８の近傍のそれぞれの把持領域６２、６４は、湾曲又はスカラップ部分を備えてもよく、この部分は、以下で更に詳細に論じられるように、パワースライドドアをつかんで手動パワーモードで動かすために、把持表面として使用されるように構成されてもよい。種々の態様では、組み立て済み状態及び休止状態において、ハンドルアセンブリ３８の外側表面５６（これは、多くの場合、カバー５２である。）は、パワースライドドア３６の外側表面３７又はパネルに対し実質的に整列されてもよく又は面一であってもよい。
【００３７】
図示された非限定的な例において、ハンドル基部４４の中央領域において固定枢動軸心を画成するボア６８を貫通して、アクスルピン６６又は同様の締結具が配備されてもよい。図示されるように、アクスルピン６６は、ケース４０の（例えば、長さ方向に沿う中央）中央領域に配置されたそれぞれの上方及び下方の開孔７０、７２を貫通して配置される。適切なブッシュ７４も配備されてもよい。ケース４０に対する取り付けのために、シール又はパッド７６が配備されてもよい。シール７６は、ハンドル基部４４及びカバー５２の形状に一致する内径７８を画成してもよい。図示されるように、パッド７６及びケース４０の周縁部の回りに、複数の協働する保持用特徴部８０及び角度付き突出部／リブ８２が配設されてもよい。
【００３８】
ハンドル基部４４は、ベルクランク８８の回動運動を独立的に起動する第１及び第２の駆動アーム８４、８６を画成してもよい。図示されるように、駆動アーム８４、８６は、互いに他から分離／独立していてもよく、また、一例では、ハンドル基部４４の後面５９又は後部分から、前方平面５８に垂直な方向に、所定距離だけ延在してもよい。図示されるように、各駆動アーム８４、８６は、弧形状の部分９０と、ベルクランク８８の対応するアーム９４、９６に係合するのに使用可能な実質的に線形状の部分９２と、を画成してもよい。図１２から図１３に更に良好に示されるように、駆動アーム８４、８６は、ベルクランク８８の両側、例えば左右側、であって、ハンドル基部４４全体の幾何学形状に関して上縁部及び下縁部に、配置されてもよい。ケース４０の後壁９８は、それ自身内に画成されたそれぞれの開孔１００（図９）であって、ベルクランク８８に係合するために駆動アーム８４、８６が貫通する開孔を備えてもよい。ケース４０はまた、水又は液体がハンドルアセンブリを通過することを許容する、互いに離間された複数のドレインホール１０２も備えてもよい。ケース４０は、ケース４０を締結具及びカラー１１２でもってパワースライドドア３６に固着するための種々の取り付けフランジ１１０を含んでもよい。
【００３９】
ベルクランク８８は、ケース４０の外部に、例えばボルト１０４及び溶接ナット１０６又は他の適切な締結機構を用いて後壁９８の中央領域に、結合されて、ベルクランク８８のための固定枢動軸心５０ｂを画成してもよい。この点、ベルクランク８８のための固定枢動軸心は、ハンドル基部４４のための固定枢動軸心５０ａに対して実質的に直交する。ベルクランク８８の回動をセルフセンタリング休止位置に付勢するために、ケース４０とベルクランク８８との間に配置されたスプリングのような付勢部材１０８が配備されてもよい。図示された代表的なベルクランク８８では、約１８０°の離間角度を有する２本のレバーアーム９４、９６が配備される。図１２から図１３を改めて参照すると、種々の態様において、付勢部材１０８をあらかじめ定められたバネ力定数を備えたスプリングとして、スプリングが、平衡中心（中央）点と称され得るものに戻るようベルクランク８８の回動を付勢するように構成されるようにすることができる。本開示において参照されるように、このような平衡中心点は、ベルクランクの第１及び第２のレバーアーム９４、９６の両方がハンドル基部４４の対応する第１及び第２の駆動アーム８４、８６と接触する中立位置として定義されてもよい。図１３はこの平衡位置を示しており、ここでは、左上の駆動アーム８４の縁部９２がベルクランク８８の上方レバーアーム９４の縁部９４ａと接触している。同様に、右下の駆動アーム８６の縁部９２は、ベルクランク８８の下方レバーアーム９６の縁部９６ａと接触している。この平衡位置において、それぞれの構成要素が互いに接触するので、それらの間におけるあらゆる形式のガタつき又は振動運動の可能性は最小である。
【００４０】
種々の態様において、アセンブリ３８は、ハンドル基部４４をセルフセンタリング休止位置に付勢するように構成された一対のパドル１１４、１１６を備えてもよい。パドル１１４、１１６は、ハンドル基部４４の望まない動きを阻止するカウンタウェイトとして配備されることができ、このことは特に、ハンドルアセンブリ３８が、ビークルの側部衝突の間にもたらされる力のような、或る力を受けたときに有用であり得る。図示されるように、ケース４０は、パドル１１４、１１６を収容して各パドルに別個の枢動軸心を提供する延在側部１１８を備えてもよい。パドル１１４、１１６を固定するために側部１１８内に画成されたそれぞれの開孔１２２に、パドルアクスルピン１２０が整列されてもよい。パドル１１４、１１６をハンドル基部４４の後面５９の対応部分に対し付勢するために、スプリング１２２のような付勢部材が配備されてもよい。例えば、パドル１１４、１１６の前向き係合表面１２６は、ハンドル基部４４の延在端部１３０ａ、１３０ｂに接触して、ハンドルを中央の休止位置に付勢するようにしてもよい。
【００４１】
図２を改めて参照すると、（パワード／自動モードにおいて）パワースライドドア３６を起動することが所望されたとき、ユーザは単に、「開／閉」と表示された矢印により特定されるように、ハンドルの端部４６、４８を内向きに第１の距離だけ押圧することが必要である。種々の態様において、端部４６、４８のいずれかを押圧すると、適切な開又は閉機能が開始される、なぜなら、パワースライドドアの現在の作動状態が決定されるとともに後続の開又は閉動作が調整されるために、その要求が適切なロジックを備えたコントローラに送られてもよいからである。以下で更に詳細に論じられるように、ハンドル４４のいずれかの端部４６、４８を第１の押し込み位置まで内向きに押し込むと、ハンドル基部４４の駆動アーム８４、８６の一方がベルクランク８８の対応アーム９４、９６に係合される。ベルクランク８８は第１の方向に回動し、これにより次いで、（不図示の）モータの操作を行ってパワースライドドア３６を起動しドアを所望の開又は閉位置に摺動可能に移動させるスイッチサブアセンブリ１４６が起動される。種々の態様において、ハンドルが内向きに適切な第１の距離だけ第１の押し込み位置まで押圧されると、ハンドルアセンブリ３８は、パワースライドドアが起動された時点をユーザに表示するために、音調又は警報／音響のような、聴覚的又は視覚的な通知の少なくとも一方をユーザに提供すように構成されてもよい。或る態様において、起動をユーザに通知するＬＥＤライト又は類似物のような視覚的表示があってもよい。付加的又は代替的に、ハンドルアセンブリ３８は、触覚的なフィードバックを提供する機能を備えてもよい。更なる他の態様において、ユーザが、スプリング１２４又は他の停止手段から、増大されたレベルの押し戻し又は抵抗を付加的に感知してもよい。
【００４２】
ユーザが、ドアハンドルの端部４６、４８を解放すると、それがハンドル基部４４であるかそれに取り付けられたカバー５２であるかに関わらず、ハンドル基部４４は次に自動的に、中央又は休止位置に戻るよう付勢されてもよい。例えば、付勢部材１０８は、ベルクランク８８の回動を、駆動アーム８４、８６との係合により先に引き起こされた回動と逆方向に付勢する。同時に、それぞれの側部パドル１１４、１１６に結合された１つ又はそれよりも多くの付勢部材１２４が、パドル１１４、１１６を休止位置に戻るよう付勢し、これにより次いで、ハンドル基部４４が中央の休止位置まで移動され、ここで、ハンドルアセンブリ３８の外側表面５６はパワースライドドア３６の外側表面３７と実質的に面一である。
【００４３】
本技術の多くの特徴のうちのひとつは、ハンドルアセンブリが、例えば、電源を使い果たしもしくは利用できないときにおいて、又は、パワーモードでの作動が可能でないもしくは望ましくないおそれがある或る緊急モードにおいて、手動作動モードも提供するように構成されるということである。図４Ａ及び図４Ｂは、枢動式グラブバーハンドル基部４４による手動作動モードにおけるフラッシュマウントドアハンドルアセンブリ３８の動作を示す概略図である。ハンドルアセンブリ３８を手動モードで作動させるために、ユーザはまず、ドアハンドル４４又はカバー５２のそれぞれの端部４６、４８に同様に係合する。しかしながら、ハンドル基部４４の（所望の方向運動に基づいて選択された）所望される方の端部４６、４８を軽く押し込む代わりに、端部４６、４８は、第１の位置よりも更に長い距離だけ内向きにある第２の押し込み位置まで押し込まれる。例えば、種々の態様において、パワーモードの作動のためにハンドルを軽く押し込むことは、約３ｍｍから約１０ｍｍ又は約７ｍｍの内向き距離にわたる、ハンドル端部４６、４８の押し込み移動を含んでもよい。手動モードの作動のためにハンドルを押し込むことは、約１８ｍｍから約２１ｍｍ、又は、それよりも長い距離にわたるハンドル端部４６、４８の押し込み移動を含んでもよい。ハンドル端部４６、４８をこの距離にわたり更に押し込むことは、スライドドアをロック解除／ラッチ解除してスライドドアを手動作動モードで作動させるために、ロック機構の解除、例えば、ケーブル８９（図１１）、又は、解除機構として構成され得る他の物理的カップリングの引き寄せ、に役立つ。
【００４４】
図４Ａに示されるように、右端部４８を押し込むことにより、ハンドル基部４４が枢動され、左端部４６が外向き延在位置に枢動される。この延在位置において、左端部は、ユーザがドアをつかんで右方向に引きしたがってドアを開けるためのリア把持領域６２を露出する。ユーザがドアハンドルの把持領域６２を解放すると、ハンドル基部４４は、上述されたように、中央又は休止位置に自動的に戻るよう付勢されてもよい。図４Ｂに示されるように、左端部４６を押し込むことにより、ハンドル基部４４が枢動され、右端部４８が外向き延在位置に枢動される。この延在位置において、右端部は、ユーザがドアをつかんで左方向に引きしたがってドアを閉じるためのリア把持領域６４を露出する。ここでも、ユーザがドアハンドルの把持領域６４を解放すると、ハンドル基部４４は、上述されたように、中央又は休止位置に自動的に戻るよう付勢されてもよい。
【００４５】
図５Ａ及び図５Ｂは、本技術の別の態様に係る枢動プレートハンドル基部１３４を用いる、パワーモード（図５Ａ）及び手動モード（図５Ｂ）におけるプレート型フラッシュマウントドアハンドルアセンブリ１３２の動作を示す概略図である。プレートハンドル基部１３４は、他のデザインと同様に、中心枢動軸心回りに回動する。図示されるように、先行技術で使用される習用のハンドルデザインに係るハンドルをつかんで引いて開けるために一方の手を使用しなければならないこととは対照的に、１本の指の単一回の押圧によりフラッシュハンドルデザインを作動させることができる、ということが期待される。スライドドアをパワーモードで作動させるために、把持することは必要でない。図５Ａに示されるように、プレート基部１３４は同様に第１及び第２の対向端部１３６、１３８を有し、第１及び第２の対向端部１３６、１３８は同様に、パワーモードにおいてパワースライドドア３６の自動移動を起動するために、第１の押し込み位置まで押し込まれるように構成されている。非限定的な一例において、プレート１３４は、上記で論じられたように、ベルクランク８８に係合する同様の駆動アームを備えてもよい。図５Ｂに示されるように、手動モードが望まれるとき、ユーザは、例えば解除ケーブル８９（図１１）を介してロック機構を解除するために、所望の端部、ここでは左端部１３６を第２の押し込み位置へ押し込むとともに、ユーザがドアをつかんで左方向に引きしたがってドアを閉じるために、リア把持領域１４０を露出してもよい。図示されないが、右端部１３８を第２の押し込み位置まで押し込み、ユーザがドアをつかんで右方向に引きしたがってドアを開けるために、逆側のリア把持端部を露出することにより、ドアを手動モードにおいて開けることが同様に達成される。
【００４６】
付加的な図面をレビューすることにより、ハンドルアセンブリ３８の種々の特徴を更に理解できる。この点、図６は、図３に示されるようなフラッシュマウントハンドルアセンブリ３８を組み立て状態で示す前方平面図であり、図７はアセンブリ３８の底部平面図であり、図８はアセンブリ３８の側方平面図である。
【００４７】
図９は、代表的なケース４０の前方平面図であり、このケースは、内部キャビティ４２を画成するとともに、種々の開口及びアクセス領域、例えば、駆動アーム８４、８６が通過してベルクランク８８に係合する後壁９８のそれぞれの開孔１００、及び、ドレインホール１０２、を有する。ケース４０の全体的なデザインは本質的に例示的であり、ケース４０に対する種々の変更がなされ得ることを理解すべきである。
【００４８】
図１０は、図３に示されるように組み立てられたフラッシュマウントハンドルアセンブリの後方斜視図であり、図１１はその後方平面図であり、その両方がベルクランク８８及びスイッチサブアセンブリ１４６の動作の付加的な詳細を提供する。上述されたように、最初にハンドル基部４４のいずれかの側４６、４８を押し込むことにより、ハンドル基部４４が枢動運動され、これにより次いで、駆動アーム８４、８６の一方が、対応するレバーアーム９４、９６に接触される。例えば、右側端部４８を押し込むと上方駆動アーム８４が上方レバーアーム９４に接触し、左側端部４６を押し込むと下方駆動アーム８６が下方レバーアーム９６に接触する。どちらの駆動アーム８４、８６が対応するレバーアーム９４、９６に係合するかに関わらず、ベルクランク８８は同一方向（詳細には、図１０、図１１で見たときに時計回り）に回動可能に動く。図１１は、休止位置（実線）と、完全に押し込まれた位置（点線）との両方におけるベルクランク８８及び内部レバー１４４を示している。理解され得るように、ベルクランク８８が時計回りに回動することにより、ベルクランク８８のトリガ部分１４２が回動して内部レバー１４４を打突し、これにより次いで、パワースライドドアを開閉するためのスイッチサブアセンブリ１４６の本体部分１４８の機械的アクチュエータ１４５、例えば付勢ボタン、が起動される。時計回りの回動は更に、既に論じられたように、解除機構に結合されてもよい解除ケーブル８９を移動させる。図示されるように、内部レバー１４４は、本体部分１４８にヒンジ止めされ又は同様に接続されてもよく、また、パワースライドドアの作動を要求する適切な信号を送るためにトリガ部分１４２と最終的に接触する湾曲部分又はフックをその遠位端に含んでもよい。ひとつの代表的なデザインにおいて、機械的アクチュエータ１４５を収容する本体部分１４８は、適切な配線１５２を介してプラグ型ハーネスもしくはコネクタ１５０と電気接触する。この配線は、ケース４０上に配設されたカップリング部材１５４を用いて経路設定されてもよい。スイッチサブアセンブリ１４６は、図１８に関して以下で更に詳細に論じられるように、スライドドアのパワード作動モードを制御するために、種々の論理制御器、プロセッサ構成要素、モジュール、又はその類似物と通信してもよい。
【００４９】
図１２は、中央／休止又は中立の状態における代表的なハンドル基部及びベルクランクを示す頂部平面図である。図１３は、図１２に示されるように中央／休止又は中立の状態における代表的なハンドル基部及びベルクランクを示す後方平面図である。図示されるように、ベルクランク８８のレバーアーム９４、９６は、ハンドル基部４４の後面５９から直交方向に延在するそれぞれの駆動アーム８４、８６の縁部と接触して休止している。この休止状態において、カバー５２の外側表面５６は、スライドドア３６の外側パネル３７と実質的に整列される。図１２から図１３には示されないが、図３を参照すると、ハンドル基部４４がこの中央位置に配置されたとき、ハンドル基部４４の後向き側の延在端部１３０ａ、１３０ｂもまた、パドル１１４、１１６の前向き係合表面１２６からわずかな距離（２ｍｍから３ｍｍ）離間してもよい。このことは、ガタつき音又は類似物に潜在的につながるおそれのある構成要素同士間のあらゆる意図しない接触を妨げかつ／又は最小限度に抑え得る。
【００５０】
図１４は、図４Ａに示されたものに類似した、第１の完全押し込み起動状態における代表的なハンドル基部及びベルクランクを示す頂部平面図である。図１５は、図１４に示されたような、第１の完全押し込み起動状態における代表的なハンドル基部及びベルクランクを示す後方平面図である。図示されるように、ハンドル基部の一端部４８が押し込まれたとき、ハンドル基部４４は枢動し、上方駆動アーム８４の縁部９２はベルクランク８８の対応するレバーアーム９４の縁部に係合して回動運動を開始する。次いで、（時計回り方向における）ベルクランク８８の回動により、ベルクランクのトリガ部分１４２が内部レバー１４４及び機械的アクチュエータ１４５に接触される。種々の態様において、ベルクランク８８の更なる回動は、まさに、トリガ部分１４２が最終的に、駆動アーム８４の下側部に接触はしないが、それに接近するまで、継続することができる。同時に、ハンドル基部４４の後向き側の延在端部１３０ｂは、対応するパドル１１６の前向き係合表面１２６に抗して移動されるとともに、ハンドル基部４４の後面５９の一部分は最終的に、ケースの後壁９８から所定距離だけ延在するように配備されたそれぞれの停止手段４２ａ、４２ｂ（図９）に接触する。付加的に、ハンドル基部４４の逆端部４６は、外向き延在位置へ枢動される。この延在位置において、逆端部４６は、ユーザが手動モードにおいてドアをつかんで引き、ドアを開け又は閉じるための、対応するリア把持領域６２を露出する。ユーザがドアハンドルの把持領域６２を解放すると、図１２から図１３に示されるように、ハンドル基部４４及びベルクランク８８は次いで自動的に中央又は休止位置に戻るよう付勢されてもよい。
【００５１】
図１６は、図４Ｂに示されたものに類似した、第２の完全押し込み起動状態における代表的なハンドル基部及びベルクランクを示す頂部平面図である。図１７は、図１６に示されたような、第２の完全押し込み起動状態における代表的なハンドル基部及びベルクランクを示す後方平面図である。図１４から図１５の逆となる配置において、ハンドル基部の他端部４６が押し込まれたとき、ハンドル基部４４は枢動し、下方駆動アーム８６の縁部９２はベルクランク８８の対応するレバーアーム９６の縁部に係合して回動運動を開始する。次いで、（ここでも、同じ時計回り方向における）ベルクランク８８の回動により、ベルクランクのトリガ部分１４２が内部レバー１４４及び機械的アクチュエータ１４５に接触される。種々の態様において、ベルクランク８８の更なる回動は、まさに、トリガ部分１４２が最終的に、上方駆動アーム８４の下側部に接触はしないが、それに接近するまで、継続することができる。同時に、ハンドル基部４４の後向き側の延在端部１３０ａは、対応するパドル１１４の前向き係合表面１２６に抗して移動されるとともに、ハンドル基部４４の後面５９の一部分は最終的に、ケースの後壁９８から所定距離だけ延在するように配備されたそれぞれの停止手段４２ａ、４２ｂ（図９）に接触する。付加的に、ハンドル基部４４の逆端部４８は、外向き延在位置へ枢動される。この延在位置において、逆端部４８は、ユーザが手動モードにおいてドアをつかんで引き、ドアを開け又は閉じるための、対応するリア把持領域６４を露出する。ユーザがドアハンドルの把持領域６２を解放すると、図１２から図１３に示されるように、ハンドル基部４４及びベルクランク８８は次いで自動的に中央又は休止位置に戻るよう付勢されてもよい。
【００５２】
更なる他の態様において、本開示は、ビークル３０のパワースライドドア３６のハンドルアセンブリ３８を作動させる種々の方法を提供する。本方法は、ユーザが枢動ハンドル４４の第１の端部４６、４８を内向きに第１の距離だけハンドルアセンブリ３８内へ押し込み、それにより、ハンドル４４から延在するそれぞれの駆動アーム８４、８６がベルクランク８８を回動させることにより、開始してもよい。上記で論じられたように、ベルクランク８８が回動すると、ベルクランクのアーム９４、９６が次いで、パワースライドドア３６の開又は閉移動のいずれかを要求する信号を送るように構成されたスイッチサブアセンブリ１４６を起動してもよい。この信号はその後、ビークルの１つ又はそれよりも多くの制御システムで受信されてもよい。
【００５３】
制御システム（１もしくは複数）又はその一部は、ビークル内に配置されてもよく、又は、適切なネットワークを介しもしくは他のビークルシステムの使用により、ビークルが利用可能であるようにされてもよい。制御システム（１又は複数）は、有線又は無線の構成でもって適切な様式で一緒に作動可能に結合された１つ又はそれよりも多くのコントローラ、プロセッサ、受信器、送信器、起動ユニット、プログラミングユニット、記憶装置、通信ユニット、下位制御ユニットなどを含んでもよい。一例において、制御システムは、好適にはビークル内に配置された、電子制御ユニット（ＥＣＵ）又は均等物を含んでもよい。いくつかの実施例において、制御システムには、操作者がシステムの少なくとも一部を制御することを可能にし又はシステムとのやりとりを可能とする、ユーザインタフェースが組み合わされてもよい。或る態様において、インタフェースは、ユーザが本技術の或る特徴を有効化又は無効化することを許容してもよい。更に、ユーザは、本技術の作用の或る条件を定義又は改変してもよい。
【００５４】
本方法は、ハンドルの端部４６、４８を解放することと、ベルクランク８８及びハンドル基部４４が、付勢中央又は休止位置へ自動的に戻ることを許容することと、を含んでもよい。種々の態様において、前記で論じられたように、ハンドル基部を、中央の休止位置へ戻す段階は、ベルクランク８８の第１及び第２のレバーアーム９４、９６がハンドル基部４４の対応する第１及び第２の駆動アーム８４、８６と接触する平衡点にベルクランクを付勢することを含む。このような位置において、ハンドルアセンブリ３８の外側部分５６は、パワースライドドア３６の外側パネル３７と面一であってもよい。本方法は付加的に、電源からの電力の調達が中断されており、スイッチサブアセンブリを起動してもパワースライドドア３６の開移動も閉移動も自動的に行われないことを決定することを含んでもよい。本方法は次いで、枢動ハンドルの端部４６、４８をハンドルアセンブリ３８内へ第２の距離だけ更に押し込んで、ベルクランク８８を付加的に回動させるとともに、（１）ロック機構を解除することと、（２）枢動ハンドルの第２の対向端部をドアから更なる距離だけ外向きに延在させることとの両方を行うことを含んでもよい。本方法は、ハンドル４４の外向きに延在する第２の端部を把持して、パワースライドドア３６を所望の開又は閉位置まで手動で移動させることを含んでもよい。
【００５５】
図１８は、論理制御の種々の詳細を示す線図であるとともに、特に、パワースライドドアの起動２２０の詳細を提供する。例えば、方法ボックス２２２により示されるように、本方法は更に、パワースライドドアの現在の動作状態を決定することを含んでもよい。もしパワースライドドアが開位置にあるならば、ＥＣＵは、方法ボックス２２４により表されるようにドアを閉じることと、方法ボックス２２６により表されるように選択的にドアをロックすることとのために必要なステップを行うことに進んでもよい。代替的に、もしパワースライドドアが閉位置にあるならば、ＥＣＵは、方法ボックス２２８により表されるように（必要なときに）ドアをロック解除することと、方法ボックス２３０により表されるように次いでドアを開けることとのために必要なステップを行うことに進んでもよい。
【００５６】
上記記述は、例示及び説明を目的として提供されており、開示、その用途又は使用を制限することを意図したものでは決してない。それは、網羅的であること、又は、開示を制限することを意図したものではない。特定実施例の個々の要素又は特徴は、概略的にその特定実施例に限定されず、該当する場合、特に図示され又は記述されなくても、選択された実施例において互換可能であり、使用可能である。このことはまた、多くの様式で変更されてもよい。このような変更は、本開示からの逸脱と見なされるべきでなく、このような改変のすべては、本開示の範囲内に含まれることが意図されている。
【００５７】
本開示で用いられるように、「ビークル」という語句は、広範囲な意味を有すると解釈されるべきであり、非限定的な例として、乗用車、トラック、自動二輪車、オフロードビークル、バス、ボート、航空機、ヘリコプタ、芝刈り機、レクリエーショナルビークル、遊園地ビークル、農業用ビークル、建設ビークル、トラム、ゴルフカート、列車、又は、トロリなどを含む、すべての種類のビークルを含むべきである。ビークルは、例えば自律モードを有する自己駆動式であってもよく、かつ／又は、手動運転されてもよい。
【００５８】
本開示で用いられるように、Ａ、Ｂ及びＣのうちの少なくとも１つというフレーズは、非排他的論理的「ｏｒ」を用いた、論理的（Ａ又はＢ又はＣ）を意味するものと解釈されるべきである。方法における種々のステップを、本開示の原理を変更することなく、異なる順序で実行してもよいことが理解されるべきである。範囲の開示は、端点を含めて、範囲全体のうちの、すべての範囲と細分化された範囲とを含む。
【００５９】
本開示において使用された（「背景」及び「概要」のような）見出し及び小見出しは、本開示におけるトピックの概略的な体系化のみを意図したものであり、本技術の開示又はその任意の態様を制限することを意図したものではない。上述の特徴を有する複数の実施例の記述は、付加的な特徴を有する他の実施例、又は、上述の特徴の異なる組み合わせを組み込んだ他の実施例を排除することを意図したものではない。
【００６０】
本開示で用いられるように、「備える、含む（ｃｏｍｐｒｉｓｅ）」及び「含む（ｉｎｃｌｕｄｅ）」という語句及びそれらの変化形は、連続する又はリスト内のアイテムの記述が、本技術のデバイス及び方法においても有用であり得る他の同様の要素を排除することのないように、非限定的であることを意図している。同様に、「できる（ｃａｎ）」及び「してもよい、得る（ｍａｙ）」という語句及びそれらの変化形は、実施例が或る要素もしくは特徴を含むことができ又は含んでもよい、という記述が、これらの要素又は特徴を含まない本技術の他の実施例を除外しないように、非限定的であることを意図している。
【００６１】
本開示の広範囲な教示は、種々の形態で実施することができる。したがって、本開示は特定の例を含むけれども、本開示の真の範囲はそれに制限されるべきでない、なぜならば、当業者には、本明細書及び以下の特許請求の範囲を考察すれば他の改変が明らかである、からである。本開示における１つの態様又は種々の態様に対する参照は、実施例又は特定システムに関連して記述された特定の特徴、構造又は特性が少なくとも１つの実施例又は態様に含まれることを意味する。「１つの態様において」（又は、その変化形）という表現の出現は、必ずしも同一の態様又は実施例を参照していない。本開示で論じられた種々の方法ステップが、描かれたのと同一の順序で実施される必要はなく、各方法ステップが各態様又は実施例で必要とされるわけでもないことも理解されるべきである。
【図１】
2018112050.tif 000003
【図２】
2018112050.tif 000004
【図３】
2018112050.tif 000005
【図４Ａ】
2018112050.tif 000006
【図４Ｂ】
2018112050.tif 000007
【図５Ａ】
2018112050.tif 000008
【図５Ｂ】
2018112050.tif 000009
【図６】
2018112050.tif 000010
【図７】
2018112050.tif 000011
【図８】
2018112050.tif 000012
【図９】
2018112050.tif 000013
【図１０】
2018112050.tif 000014
【図１１】
2018112050.tif 000015
【図１２】
2018112050.tif 000016
【図１３】
2018112050.tif 000017
【図１４】
2018112050.tif 000018
【図１５】
2018112050.tif 000019
【図１６】
2018112050.tif 000020
【図１７】
2018112050.tif 000021
【図１８】
2018112050.tif 000022
【外国語明細書】
2018112050000001.pdf